(57)【要約】      （修正有）【課題】意匠性を損なわずに操作感触を付加し、フェースプレートへの取り付けや交換作業を容易にし、視覚障害者にも対応可能なエレベータ押釦用防水・防塵カバー及びそれを用いたエレベータ押釦装置を得る。【解決手段】釦の正面を覆うように設けられるものにおいて、可撓性のある樹脂からなり、表面側が凸となる断面ドーム状とし、押した時に凹むクリック感を付加した操作フィルム５を主体として構成される。操作フィルムの表面側に視覚障害者用の凸文字を成形する。このように構成されたエレベータ押釦用防水・防塵カバー４を各釦の正面を覆うようにフェースプレートの各開口部周縁部にそれぞれ装着する。【選択図】図３
2006240813.tif 000002
【特許請求の範囲】
【請求項１】
釦の正面を覆うように設けられるエレベータ押釦用防水・防塵カバーにおいて、
可撓性のある樹脂からなり、表面側が凸となる断面ドーム状とし、押した時に凹むクリック感を付加した操作フィルムを主体として構成されたことを特徴とするエレベータ押釦用防水・防塵カバー。
【請求項２】
断面ドーム状の操作フィルムの裏面に文字を印刷した印刷層を施したことを特徴とする請求項１記載のエレベータ押釦用防水・防塵カバー。
【請求項３】
釦の正面を覆うように設けられるエレベータ押釦用防水・防塵カバーにおいて、
可撓性のある樹脂からなり、表面側が凸となる断面ドーム状とし、押した時に凹むクリック感を付加した操作フィルムと、
中央部が開口され、正面側周縁部に前記操作フィルムの周縁部を装着した枠状のベースプレートと、
を備えたことを特徴とするエレベータ押釦用防水・防塵カバー。
【請求項４】
操作フィルムとベースプレートとをフィルムインサート成形により一体成形したことを特徴とする請求項３記載のエレベータ押釦用防水・防塵カバー。
【請求項５】
枠状のベースプレートは、フェースプレートに着脱自在に取り付けられる係合爪を有することを特徴とする請求項３又は請求項４記載のエレベータ押釦用防水・防塵カバー。
【請求項６】
枠状のベースプレートは、フェースプレートの貫通穴に挿通され、釦の位置決めを行う位置決めボスを有することを特徴とする請求項３〜請求項５のいずれかに記載のエレベータ押釦用防水・防塵カバー。
【請求項７】
断面ドーム状の操作フィルムの表面側に視覚障害者用の凸文字を成形したことを特徴とする請求項１〜請求項６のいずれかに記載のエレベータ押釦用防水・防塵カバー。
【請求項８】
請求項１〜請求項７のいずれかに記載のエレベータ押釦用防水・防塵カバーを各釦の正面を覆うようにフェースプレートの各開口部周縁部にそれぞれ装着した特徴とするエレベータ押釦装置。
【発明の詳細な説明】
【技術分野】
【０００１】
この発明は、雨水等が浸入し易い場所に設置されるエレベータ押釦用防水・防塵カバー及びそれを用いたエレベータ押釦装置に関するものである。
【背景技術】
【０００２】
従来のエレベータの押釦装置としては、防水、防塵のために、例えば、フェースプレートと押釦部の間にシリコンゴムを挟んだ構成のものや、フェースプレートの表面に透明なシールを接着した構成のもの等がある。
また、上記以外の従来技術としては、防水・防塵性のある外縁体及び透明保護フィルタで構成した保護カバー部をフェースプレート上に貼付し、透明保護フィルムと押釦部との間にギャップ充填部材を配設したものが知られている（例えば、特許文献１参照）。
【０００３】
【特許文献１】特開平９−３１５７１０号公報
【発明の開示】
【発明が解決しようとする課題】
【０００４】
従来のエレベータの押釦装置では、経年劣化によりシリコンゴムが変色して釦の文字が見えなくなるという問題がある。また、透明なシールの接着層が見えて意匠性が悪いという問題がある。また、透明保護フィルタで構成したものでは、フィルタがフェースプレート側に出っ張り意匠性が悪く、フィルタの取り付けや交換作業が面倒であった。
更に、上記の従来装置では、全て視覚障害者が触って文字を判別するための、凸文字釦を釦上に安価に構成することが困難であった。また、シリコンゴムや透明なシール、透明保護フィルタの弾力性によって、釦の押し力が変わるので、押しにくいという問題があった。
【０００５】
この発明は上記のような課題を解決するためになされたもので、意匠性を損なわずに操作感触を付加し、フェースプレートへの取り付けや交換作業を容易にし、視覚障害者にも対応可能なエレベータ押釦用防水・防塵カバー及びそれを用いたエレベータの押釦装置を提供することを目的とする。
【課題を解決するための手段】
【０００６】
この発明に係るエレベータ押釦用防水・防塵カバーは、釦の正面を覆うように設けられるものにおいて、可撓性のある樹脂からなり、表面側が凸となる断面ドーム状とし、押した時に凹むクリック感を付加した操作フィルムを主体として構成されたものである。
【０００７】
また、この発明に係るエレベータの押釦装置は、上記のように構成されたエレベータ押釦用防水・防塵カバーを各釦の正面を覆うようにフェースプレートの各開口部周縁部にそれぞれ装着したものである。
【発明の効果】
【０００８】
この発明によれば、意匠性を損なわずに、操作感触を付加したエレベータ押釦用防水・防塵カバー及びそれを用いたエレベータ押釦装置を提供することができる。
【発明を実施するための最良の形態】
【０００９】
実施の形態１.
図１はこの発明の実施の形態１におけるエレベータ押釦用防水・防塵カバーを用いたエレベータの押釦装置を示す正面図、図２は図１のＡ−Ａ線に沿った断面図、図３はこの発明の実施の形態１におけるエレベータ押釦用防水・防塵カバーを拡大して示す正面図及び側面図である。
【００１０】
図中、１は釦、２は基板、３はフェースプレート、４は釦１の正面を覆う防水・防塵カバーである。この防水・防塵カバー４は、図３に示すように、表面の操作フィルム５と、操作フィルム５の裏面に密着して設けられた印刷層６と、印刷層６の裏面の周縁部に塗布された接着層７とから構成されている。上記操作フィルム５は、釦１の押下げ時に、操作感触を付加するため、例えば可撓性のある透明樹脂からなる薄膜状のフィルムを表面側が凸となる断面ドーム状でかつ中央の操作面が略平坦部に近い丸みのある台形状を呈するように成形加工されている。操作フィルム５は、可撓性がある材料であればどんなものでも良く、例えばゴム体あるいは薄膜状のフィルム自体の板厚を適宜変更することにより、操作感触としてクリック感を付加させることができる。また押し易くするために、立ち上がり部が丸みのある形状或いは全体が丸みを帯びた形状にすることが好ましい。更に、操作フィルム５の周縁鍔部は、フェースプレート３の表面上に装着されるため、平坦部とされている。また上記印刷層６には矢印等の文字８が印刷されている。
上記のように構成された防水・防塵カバー４の周縁鍔部を、接着層７によりフェースプレート３の上面に貼り付け、釦１を雨水や塵埃から保護するものである。防水・防塵カバー４をフェースプレート３に接着する際、操作フィルム５の裏面には印刷層６があるため、接着層７がフェースプレート３の表面から見えることがない。
【００１１】
したがって、実施の形態１のような構造にすることにより、意匠性を損なわずに、操作感触を付加したエレベータ押釦用防水・防塵カバーを提供することができる。
【００１２】
実施の形態２．
図４はこの発明の実施の形態２におけるエレベータ押釦用防水・防塵カバーを用いたエレベータの押釦装置を示す断面図、図５はこの発明の実施の形態２におけるエレベータ押釦用防水・防塵カバーを拡大して示す正面図及び側面図である。
【００１３】
図中、実施の形態１と同一又は相当部分には同一符号を付して説明を省略する。この実施の形態２の防水・防塵カバー４は、図５に示すように、表面の操作フィルム５と、操作フィルム５の裏面に密着して設けられた印刷層６と、中央部が開口された枠状に形成され、操作フィルム５の周縁平坦部及び印刷層６の周縁平坦部を互いに重合して正面側周縁部に一体的に装着した枠状のベースプレート９とから構成されている。なお、ベースプレート９と操作フィルム５とをフィイルムインサート成形により一体成形で構成するか、或いは操作フィルム５、印刷層６、ベースプレート９を別々に構成し、３者を接着固定しても良い。また、ベースプレート９の背面の上下部には、防水・防塵カバー４をフェースプレート３に着脱自在に容易に取り付けられるように、係合爪１０が設けられている。
上記のように構成された防水・防塵カバー４を取り付ける際には、図４に示すように、ベースプレート９の上下の係合爪１０を釦１とフェースプレート３の間の隙間にはめ込むことにより、釦１を雨水や塵埃から保護するものである。ベースプレート９に係合爪１０を設けたことにより、防水・防塵カバー４のフェースプレート３への着脱が容易となる。
【００１４】
したがって、実施の形態２のような構造にすることにより、意匠性を損なわずに、操作感触を付加し、フェースプレートへの取り付け、交換作業が容易で、外れにくいエレベータ押釦用防水・防塵カバーを提供することができる。
【００１５】
実施の形態３．
図６はこの発明の実施の形態３におけるエレベータ押釦用防水・防塵カバーを用いたエレベータの押釦装置を示す断面図、図７はこの発明の実施の形態３におけるエレベータ押釦用防水・防塵カバーを拡大して示す正面図及び側面図である。
【００１６】
図中、実施の形態１、２と同一又は相当部分には同一符号を付して説明を省略する。この実施の形態３の防水・防塵カバー４は、図６、図７に示すように、ベースプレート９の背面の上下部でかつ係合爪１０の外側寄りには、フェースプレート３の貫通穴を挿通し、釦１の位置決めを容易にするための位置決めボス１１が設けられている。
上記のように構成された防水・防塵カバー４を取り付ける際には、図６に示すように、ベースプレート９の係合爪１０を釦１とフェースプレート３の間の隙間にはめ込むことにより、釦１を雨水や塵埃から保護するものである。そして、ベースプレート９の位置決めボス１１は、図６に示すように、防水・防塵カバー４をフェースプレート３に取り付けた際、釦１の位置を固定するので、釦１の位置決めが容易になる。
【００１７】
したがって、実施の形態３のような構造にすることにより、意匠性を損なわずに、操作感触を付加し、フェースプレートへの取り付け、交換作業が容易で、釦の位置決めを容易にできるエレベータ押釦用防水・防塵カバーを提供することができる。
【００１８】
実施の形態４．
図８はこの発明の実施の形態４におけるエレベータ押釦用防水・防塵カバーを用いたエレベータの押釦装置を示す断面図、図９はこの発明の実施の形態４におけるエレベータ押釦用防水・防塵カバーを拡大して示す正面図及び側面図である。
【００１９】
図中、実施の形態１〜３と同一又は相当部分には同一符号を付して説明を省略する。この実施の形態３の防水・防塵カバー４は、操作フィルム５の表面側には、一般に視覚障害者用として用いられている凸文字１２がフィルム５を絞り加工することで安価に成形されている。
上記のように構成された防水・防塵カバー４は、操作フィルム５の表面側には、視覚障害者用として用いられている凸文字１２がフィルム５を絞り加工することで安価に成形されるので、視覚障害者にも判別が可能となる。
【００２０】
したがって、実施の形態４のような構造にすることにより、意匠性を損なわずに、操作感触を付加し、フェースプレートへの取り付け、交換作業が容易で、外れにくく、釦の位置決めを容易で、視覚障害者にも判別可能なエレベータ押釦用防水・防塵カバーを提供することができる。
【図面の簡単な説明】
【００２１】
【図１】この発明の実施の形態１におけるエレベータ押釦用防水・防塵カバーを用いたエレベータの押釦装置を示す正面図である。
【図２】図１のＡ−Ａ線に沿った断面図である。
【図３】この発明の実施の形態１におけるエレベータ押釦用防水・防塵カバーを拡大して示す正面図及び側面図である。
【図４】この発明の実施の形態２におけるエレベータ押釦用防水・防塵カバーを用いたエレベータの押釦装置を示す断面図である。
【図５】この発明の実施の形態２におけるエレベータ押釦用防水・防塵カバーを拡大して示す正面図及び側面図である。
【図６】この発明の実施の形態３におけるエレベータ押釦用防水・防塵カバーを用いたエレベータの押釦装置を示す断面図である。
【図７】この発明の実施の形態３におけるエレベータ押釦用防水・防塵カバーを拡大して示す正面図及び側面図である。
【図８】この発明の実施の形態４におけるエレベータ押釦用防水・防塵カバーを用いたエレベータの押釦装置を示す断面図である。
【図９】この発明の実施の形態４におけるエレベータ押釦用防水・防塵カバーを拡大して示す正面図及び側面図である。
【符号の説明】
【００２２】
１  釦
２  基板
３  フェースプレート
４  防水・防塵カバー
５  操作フィルム
６  印刷層
７  接着層
８  文字
９  ベースプレート
１０  係合爪
１１  位置決めボス
１２  凸文字
【図１】
2006240813.tif 000003
【図２】
2006240813.tif 000004
【図３】
2006240813.tif 000005
【図４】
2006240813.tif 000006
【図５】
2006240813.tif 000007
【図６】
2006240813.tif 000008
【図７】
2006240813.tif 000009
【図８】
2006240813.tif 000010
【図９】
2006240813.tif 000011